(57)【要約】【課題】コンピレーションアルバムやトリビュートアルバムに収録されている楽曲データを再生する場合であっても、ユーザが、現在聴いている楽曲データのアーティスト名やジャンルを容易に把握することが可能な「楽曲データ記録制御装置および楽曲データ記録制御方法」を提供する。【解決手段】楽曲データに加えてその属性情報を第１の属性情報記憶部２２０から取得して記録する際、当該楽曲データのアーティスト名が一意に特定できない所定の文字列「Ｖａｒｉｏｕｓ  Ａｒｔｉｓｔｓ」である場合、当該楽曲データと楽曲名および演奏時間が同一である楽曲データの属性情報を楽曲データ記憶部２８０から検索し、第１の属性情報記憶部２２０から取得した「Ｖａｒｉｏｕｓ  Ａｒｔｉｓｔｓ」を、検索したアーティスト名に置き換えて記録することにより、記録した楽曲データを再生する場合、表示されるアーティスト名が一意に特定可能なものとなるようにする。【選択図】図１
2012174326.tif 000002
【特許請求の範囲】
【請求項１】
複数の楽曲データから構成される音楽アルバムを記録する記録媒体から一の楽曲データを読み出す読み出し部と、
前記音楽アルバムを識別する識別情報に基づいて、複数の楽曲データの属性情報を記憶する第１の属性情報記憶部から、前記一の楽曲データの属性情報を取得する取得部と、
前記取得部により取得された前記属性情報が、その属性情報の内容を一意に特定できない所定の文字列と一致するか否かについて判定する判定部と、
前記判定部により一致すると判定された場合、前記一の楽曲データと楽曲名および演奏時間が同一である楽曲データの属性情報を、複数の楽曲データの属性情報であって、その属性情報の内容を一意に特定可能な属性情報が記憶されている第２の属性情報記憶部から検索する検索部と、
前記一の楽曲データに加えて、前記検索部により検索された属性情報を記録装置に記録するように制御する記録制御部とを備えたことを特徴とする楽曲データ記録制御装置。
【請求項２】
請求項１に記載の楽曲データ記録制御装置において、
前記検索部により複数の属性情報が検索された場合、当該複数の属性情報の中から何れかを選択するユーザ操作を受け付ける操作受付部を更に備え、
前記記録制御部は、前記一の楽曲データに加えて、前記操作受付部により受け付けられた前記ユーザ操作を介して選択された属性情報を記録するように制御することを特徴とする楽曲データ記録制御装置。
【請求項３】
楽曲データ記録制御装置の読み出し部が、複数の楽曲データから構成される音楽アルバムを記録する記録媒体から一の楽曲データを読み出す第１のステップと、
前記楽曲データ記録制御装置の取得部が、前記音楽アルバムを識別する識別情報に基づいて、複数の楽曲データの属性情報を記憶する第１の属性情報記憶部から、前記一の楽曲データの属性情報を取得する第２のステップと、
前記楽曲データ記録制御装置の判定部が、前記第２のステップにより取得された前記属性情報が、その属性情報の内容を一意に特定できない所定の文字列と一致するか否かについて判定する第３のステップと、
前記楽曲データ記録制御装置の検索部が、前記第３のステップにより前記所定の文字列と一致すると判定された場合、前記一の楽曲データと楽曲名および演奏時間が同一である楽曲データの属性情報を、複数の楽曲データの属性情報であって、その属性情報の内容を一意に特定可能な属性情報が記憶されている第２の属性情報記憶部から検索する第４のステップと、
前記楽曲データ記録制御装置の記録制御部が、前記一の楽曲データに加えて、前記第４のステップにより検索された属性情報を記録装置に記録するように制御する第５のステップとを有することを特徴とする楽曲データ記録制御方法。
【発明の詳細な説明】
【技術分野】
【０００１】
本発明は、楽曲データ記録制御装置および楽曲データ記録制御方法に関し、例えば、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの音楽アルバムに収録されている楽曲データをその属性情報とともに記録装置に記録（リッピング）する楽曲データ記録制御装置に用いて好適なものである。
【背景技術】
【０００２】
従来、ＣＤやＤＶＤなどの音楽アルバムに収録されている楽曲データをその属性情報（例えば、アーティスト名やジャンルなど）とともにハードディスク等の記録装置に記録（リッピング）する楽曲データ記録制御装置が知られている。記録装置に記録された属性情報は、それに対応する楽曲データが再生されるときに例えばディスプレイに表示される。これにより、その表示を見たユーザは、現在聴いている楽曲データのアーティスト名やジャンルを容易に把握することができる。
【０００３】
ここで、楽曲データのリッピング処理について具体的に説明する。まず、楽曲データ記録制御装置は、ＣＤやＤＶＤなどの音楽アルバムから、収録されている楽曲データおよび当該音楽アルバムの識別情報（例えば、ＴＯＣ（Ｔａｂｌｅ  Ｏｆ  Ｃｏｎｔｅｎｔｓ）情報）を読み出す。次に、読み出した識別情報をキーとしてＣＤＤＢ（ＣＤ  ＤａｔａＢａｓｅ）にアクセスして情報を検索し、その音楽アルバムに収録されている各楽曲データの属性情報（楽曲名、アーティスト名、アルバム名、ジャンルなど）を取得する。最後に、音楽アルバムから読み出された各楽曲の楽曲データをハードディスクなどの記録装置に記録するとともに、ＣＤＤＢから取得された各楽曲データの属性情報を記録する。
【０００４】
なお、ＣＤ等の記録媒体に収録された音楽データをリッピングするときの音楽データに関する属性情報を取得する技術として、音楽データを識別するためのタイトル情報（アルバム名、アーティスト名、タイトル名、ジャンル名など）をユーザが入力し、その入力されたタイトル情報とＴＯＣ情報とを用いる技術が提案されている（例えば、特許文献１を参照）。
【先行技術文献】
【特許文献】
【０００５】
【特許文献１】特開２００７−１４１３７９号公報
【発明の概要】
【発明が解決しようとする課題】
【０００６】
ところで、音楽アルバムの種類には、もともと別の音楽アルバムに入っていた複数のアーティストの楽曲データを、特定の方針に基づいて集めて作ったコンピレーションアルバムや、特定のアーティストや特定のアルバムに敬意を表す目的で複数のアーティストが参加して作ったトリビュートアルバムがある。そして、ＣＤＤＢにおいて、コンピレーションアルバムやトリビュートアルバムに関する属性情報のうち、収録されている楽曲データのアーティスト名やジャンルには、アーティスト名を一意に特定できない文字列「Ｖａｒｉｏｕｓ  Ａｒｔｉｓｔｓ」やジャンルを一意に特定できない文字列「Ｏｔｈｅｒｓ」が登録されている場合がある。
【０００７】
この場合、コンピレーションアルバムやトリビュートアルバムに収録されている楽曲データをリッピングする際、ＣＤＤＢから取得されるアーティスト名やジャンルはそれぞれ「Ｖａｒｉｏｕｓ  Ａｒｔｉｓｔｓ」や「Ｏｔｈｅｒｓ」となり、それらが属性情報として記録される。すると、コンピレーションアルバムやトリビュートアルバムに収録されている楽曲データを再生する場合、ディスプレイに表示されるアーティスト名やジャンルはそれぞれ、属性情報として記録されている「Ｖａｒｉｏｕｓ  Ａｒｔｉｓｔｓ」や「Ｏｔｈｅｒｓ」となる。つまり、その表示を見たユーザは、現在聴いている楽曲データのアーティスト名やジャンルを容易に把握することができないという問題があった。
【０００８】
本発明は、このような問題を解決するために成されたものであり、コンピレーションアルバムやトリビュートアルバムに収録されている楽曲データを再生する場合であっても、ユーザが、現在聴いている楽曲データのアーティスト名やジャンルを容易に把握することができるようにすることを目的とする。
【課題を解決するための手段】
【０００９】
上記した課題を解決するために、本発明では、音楽アルバムに収録されている楽曲データに加えてその属性情報を記録する際、当該音楽アルバムの識別情報に基づいて取得した当該楽曲データの属性情報が、その属性情報の内容を一意に特定できない所定の文字列と一致する場合、当該楽曲データと楽曲名および演奏時間が同一である楽曲データの属性情報を、複数の楽曲データの属性情報であって、その属性情報の内容を一意に特定可能な属性情報が記憶されている記憶部から検索して記録するようにしている。
【発明の効果】
【００１０】
上記のように構成した本発明によれば、記録対象の楽曲データの属性情報がその内容を一意に特定できない文字列と一致する場合、当該属性情報に代えて、同一と推定される楽曲データの一意に特定可能な属性情報が当該記録対象の楽曲データとともに記録される。そのため、記録済みの楽曲データを再生する場合、ディスプレイに表示される属性情報（アーティスト名やジャンル）は、その内容を一意に特定できない文字列（例えば、「Ｖａｒｉｏｕｓ  Ａｒｔｉｓｔｓ」や「Ｏｔｈｅｒｓ」）と異なり、その属性情報の内容を一意に特定可能なもの（例えば、「Ｖａｎ  Ｈａｌｅｎ」や「Ｒｏｃｋ」）となる。よって、コンピレーションアルバムやトリビュートアルバムに収録されている楽曲データを再生する場合であっても、ユーザは、現在聴いている楽曲データのアーティスト名やジャンルを容易に把握することができる。
【図面の簡単な説明】
【００１１】
【図１】本実施形態の楽曲データ記録制御装置を備えたオーディオシステムの構成例を示すブロック図である。
【図２】本実施形態の楽曲データ記録制御装置による楽曲データの記録制御動作例を示すフローチャートである。
【発明を実施するための形態】
【００１２】
以下、本発明の一実施形態（以下、本実施形態）を図面に基づいて説明する。図１は、本実施形態による楽曲データ記録制御装置１００を備えたオーディオシステムの構成例を示すブロック図である。図１に示すように、楽曲データ記録制御装置１００は、読み出し部２００、取得部２４０、判定部２６０、検索部３００および記録制御部３６０を備えて構成されている。なお、楽曲データ記憶部２８０は、特許請求の範囲の第２の属性情報記憶部に相当する。
【００１３】
読み出し部２００は、複数の楽曲データから構成される音楽アルバムを記録する記録媒体１２０（例えば、ＣＤやＤＶＤなど）から収録曲の楽曲データおよび当該音楽アルバムの識別情報を読み出す。ここで、音楽アルバムの識別情報は、例えばＴＯＣ（Ｔａｂｌｅ  Ｏｆ  Ｃｏｎｔｅｎｔｓ）情報であり、当該音楽アルバムに含まれる楽曲データの曲数、各楽曲データの演奏時間および休止時間などの情報を有している。読み出し部２００は、読み出した識別情報を取得部２４０および検索部３００に出力するとともに、読み出した楽曲データを記録制御部３６０に出力する。
【００１４】
第１の属性情報記憶部２２０は、いわゆるＣＤＤＢである。すなわち、第１の属性情報記憶部２２０は、各種の音楽アルバムに収録された複数の楽曲データの属性情報（楽曲名、アーティスト名、アルバム名、ジャンルなど）を提供するためのデータベースである。
【００１５】
取得部２４０は、読み出し部２００から出力された識別情報をキーとして第１の属性情報記憶部２２０にアクセスして情報を検索し、音楽アルバムに収録されている各楽曲データの属性情報（楽曲名、アーティスト名、アルバム名、ジャンル、演奏時間など）を取得する。そして、取得部２４０は、取得した属性情報を判定部２６０、検索部３００および記録制御部３６０に出力する。
【００１６】
判定部２６０は、取得部２４０から出力された属性情報に含まれるアーティスト名が、一意に特定できない所定の文字列と一致するか否かについて判定する。ここで、所定の文字列とは、例えば、コンピレーションアルバムやトリビュートアルバムに収録されている楽曲データのアーティスト名として第１の属性情報記憶部２２０に登録されている文字列（例えば、「Ｖａｒｉｏｕｓ  Ａｒｔｉｓｔｓ」）である。もし、所定の文字列と一致すると判定した場合、判定部２６０は、その旨を検索部３００に通知する。一方、所定の文字列と一致しないと判定した場合、判定部２６０は、その旨を記録制御部３６０に通知する。
【００１７】
楽曲データ記憶部２８０は、複数枚の音楽アルバムに収録されている複数の曲の楽曲データを、各曲の属性情報（楽曲名、アーティスト名、アルバム名、ジャンル、演奏時間など）と関連付けて記憶する。コンピレーションアルバムやトリビュートアルバム以外の音楽アルバムについては、収録曲の楽曲データの内容を一意に特定可能な属性情報と関連付けて記憶している。すなわち、どの曲がどのアーティストによるものであるか、どの曲がどのジャンルに属するものであるかなどを識別可能な状態にて楽曲データおよびそれに対応する属性情報を記憶している。なお、楽曲データ記憶部２８０の楽曲データは、過去にリッピング処理によって記憶されたものである。
【００１８】
検索部３００は、所定の文字列と一致する旨の通知を判定部２６０から受けた場合、取得部２４０から出力された属性情報に含まれる楽曲名、および、読み出し部２００から出力された識別情報に含まれる演奏時間が同一である楽曲データの属性情報（アーティスト名）を楽曲データ記憶部２８０から検索する。検索部３００は、検索結果として該当する１つの属性情報を取得できた場合、その属性情報を記録制御部３６０に出力する。また、検索部３００は、検索結果として該当する複数の属性情報を取得できた場合、その複数の属性情報を表示制御部３２０に出力する。その後、検索部３００は、操作受付部３４０から選択特定情報が出力されたとき、当該選択特定情報により特定される属性情報を記録制御部３６０に出力する。また、検索部３００は、検索結果として該当する属性情報を１つも取得できなかった場合、その旨を記録制御部３６０に通知する。
【００１９】
表示制御部３２０は、検索部３００から複数の属性情報が出力された場合、その複数の属性情報をディスプレイ１４０に表示するように制御する。操作受付部３４０は、ディスプレイ１４０に表示されている複数の属性情報の中から何れかを選択するユーザ操作を受け付ける。そして、操作受付部３４０は、ディスプレイ１４０に表示されている複数の属性情報のうち、ユーザ操作を介して選択された属性情報を特定する選択特定情報を検索部３００に出力する。
【００２０】
記録制御部３６０は、所定の文字列と一致しない旨の通知を判定部２６０から受けた場合、または、該当する属性情報を１つも取得できなかった旨の通知を検索部３００から受けた場合、読み出し部２００から出力された楽曲データに加えて、取得部２４０から出力された属性情報（楽曲名、アーティスト名、アルバム名、ジャンル、演奏時間など）を楽曲データ記憶部２８０に記憶する。また、記録制御部３６０は、検索部３００から属性情報（アーティスト名）が出力された場合、読み出し部２００から出力された楽曲データに加えて取得部２４０から出力された属性情報を楽曲データ記憶部２８０に記憶する際に、アーティスト名に関しては「Ｖａｒｉｏｕｓ  Ａｒｔｉｓｔｓ」を検索部３００から出力された属性情報（アーティスト名）に置き換えて楽曲データ記憶部２８０に記憶する。
【００２１】
次に、本実施形態の楽曲データ記録制御装置１００による楽曲データの記録制御動作について説明する。図２は、本実施形態の楽曲データ記録制御装置１００による楽曲データの記録制御動作例を示すフローチャートである。図２におけるステップＳ１００は、記録媒体１２０から音楽アルバムに収録されている楽曲データをその属性情報とともに記録（リッピング）することを指示するユーザ操作が操作部（図示せず）に対して行われたことにより開始する。
【００２２】
まず、読み出し部２００は、複数の楽曲データから構成される音楽アルバムを記録する記録媒体１２０から当該音楽アルバムの識別情報を読み出す（ステップＳ１００）。そして、読み出し部２００は、読み出した識別情報を取得部２４０および検索部３００に出力する。
【００２３】
次に、読み出し部２００は、記録媒体１２０から収録曲の楽曲データを１つ読み出す（ステップＳ１２０）。そして、読み出し部２００は、読み出した楽曲データを記録制御部３６０に出力する。
【００２４】
次に、取得部２４０は、読み出し部２００から出力された識別情報をキーとして第１の属性情報記憶部２２０にアクセスして情報を検索し、ステップＳ１２０にて読み出し部２００により読み出された楽曲データの属性情報（楽曲名、アーティスト名、アルバム名、ジャンル、演奏時間など）を取得する（ステップＳ１４０）。そして、取得部２４０は、取得した属性情報を判定部２６０、検索部３００および記録制御部３６０に出力する。
【００２５】
次に、判定部２６０は、取得部２４０から出力された属性情報に含まれるアーティスト名が、一意に特定できない所定の文字列（例えば、「Ｖａｒｉｏｕｓ  Ａｒｔｉｓｔｓ」）と一致するか否かについて判定する（ステップＳ１６０）。もし、所定の文字列と一致しないと判定部２６０にて判定した場合（ステップＳ１６０にてＮＯ）、判定部２６０は、その旨を記録制御部３６０に通知する。
【００２６】
次に、記録制御部３６０は、読み出し部２００から出力された楽曲データに加えて、取得部２４０から出力された属性情報（楽曲名、アーティスト名、アルバム名、ジャンル、演奏時間など）を楽曲データ記憶部２８０に記憶する（ステップＳ２８０）。その後、処理はステップＳ３００に遷移する。
【００２７】
一方、所定の文字列と一致すると判定部２６０にて判定した場合（ステップＳ１６０にてＹＥＳ）、判定部２６０は、その旨を検索部３００に通知する。検索部３００は、所定の文字列と一致する旨の通知を判定部２６０から受けて、取得部２４０から出力された属性情報に含まれる楽曲名、および、読み出し部２００から出力された識別情報に含まれる演奏時間が同一である楽曲データの属性情報（アーティスト名）を楽曲データ記憶部２８０から検索する（ステップＳ１８０）。
【００２８】
次に、検索部３００は、検索結果として該当する複数の属性情報を取得できたか否かについて判定する（ステップＳ２００）。もし、該当する複数の属性情報を取得できなかったと検索部３００にて判定した場合（ステップＳ２００にてＮＯ）、検索部３００は、検索結果として該当する１つの属性情報を取得できたか否かについて判定する（ステップＳ２４０）。
【００２９】
もし、該当する１つの属性情報を取得できなかった（つまり、属性情報を１つも取得できなかった）と検索部３００にて判定した場合（ステップＳ２４０にてＮＯ）、検索部３００は、その旨を記録制御部３６０に通知する。その後、処理はステップＳ２８０に遷移する。一方、該当する１つの属性情報を取得できたと検索部３００にて判定した場合（ステップＳ２４０にてＹＥＳ）、検索部３００は、当該１つの属性情報を記録制御部３６０に出力する。その後、処理はステップＳ２６０に遷移する。
【００３０】
ステップＳ２００における判定処理に戻り、該当する複数の属性情報を取得できたと検索部３００にて判定した場合（ステップＳ２００にてＹＥＳ）、検索部３００は、その複数の属性情報を表示制御部３２０に出力する。そして、表示制御部３２０は、検索部３００から出力された複数の属性情報をディスプレイ１４０に表示するように制御する。
【００３１】
次に、操作受付部３４０は、ディスプレイ１４０に表示されている複数の属性情報の中から何れかを選択するユーザ操作を受け付ける（ステップＳ２２０）。そして、操作受付部３４０は、ユーザ操作を介して選択された属性情報を特定する選択特定情報を検索部３００に出力する。検索部３００は、操作受付部３４０から出力された選択特定情報により特定される属性情報を記録制御部３６０に出力する。その後、処理はステップＳ２６０に遷移する。
【００３２】
ステップＳ２６０では、記録制御部３６０は、読み出し部２００から出力された楽曲データに加えて、取得部２４０から出力された属性情報を楽曲データ記憶部２８０に記憶する際に、アーティスト名に関しては「Ｖａｒｉｏｕｓ  Ａｒｔｉｓｔｓ」を検索部３００から出力された属性情報（アーティスト名）に置き換えて楽曲データ記憶部２８０に記憶する。最後に、読み出し部２００は、記録媒体１２０を参照して、まだ読み出していない楽曲データが存在するか否かについて判定する（ステップＳ３００）。
【００３３】
もし、読み出していない楽曲データが存在すると読み出し部２００にて判定した場合（ステップＳ３００にてＹＥＳ）、処理はステップＳ１２０に遷移する。一方、読み出していない楽曲データが存在しない（つまり、全ての楽曲データを読み出した）と読み出し部２００にて判定した場合（ステップＳ３００にてＮＯ）、楽曲データ記録制御装置１００は図２における処理を終了する。
【００３４】
以上詳しく説明したように、本実施形態では、音楽アルバムに収録されている楽曲データに加えてその属性情報（楽曲名、アーティスト名、アルバム名、ジャンル、演奏時間など）を記録する際、当該音楽アルバムの識別情報に基づいてＣＤＤＢから取得したアーティスト名が、一意に特定できない所定の文字列（例えば、「Ｖａｒｉｏｕｓ  Ａｒｔｉｓｔｓ」）と一致する場合、当該楽曲データと楽曲名および演奏時間が同一である楽曲データの属性情報（アーティスト名）を楽曲データ記憶部２８０から検索して記録するようにしている。
【００３５】
このように構成した本実施形態によれば、ＣＤＤＢから取得したアーティスト名が一意に特定できない「Ｖａｒｉｏｕｓ  Ａｒｔｉｓｔｓ」の場合、それに代えて、楽曲名および演奏時間に基づき同一と推定される楽曲データのアーティスト名が楽曲データ記憶部２８０から検索されて記録される。そのため、楽曲データ記憶部２８０に記録済みの楽曲データを再生する場合、ディスプレイ１４０に表示されるアーティスト名は、その内容を一意に特定可能なもの（例えば、「Ｖａｎ  Ｈａｌｅｎ」）となる。よって、コンピレーションアルバムやトリビュートアルバムに収録されている楽曲データを再生する場合であっても、ユーザは、現在聴いている楽曲データのアーティスト名を容易に把握することができる。
【００３６】
また、本実施形態では、検索部３００により同一と推定される楽曲データ複数の属性情報が複数検索された場合、当該複数の属性情報の中から何れかを選択するユーザ操作を受け付け、記録対象の楽曲データに加えて、ユーザ操作を介して選択された属性情報を記録するようにしている。これにより、複数の属性情報が検索された場合でも、ユーザは、その複数の属性情報の中から適切な属性情報を選択して記録させることができる。
【００３７】
なお、上記実施形態では、第１の属性情報記憶部２２０から取得した楽曲データのアーティスト名が一意に特定できない所定の文字列「Ｖａｒｉｏｕｓ  Ａｒｔｉｓｔｓ」と一致する場合、当該楽曲データと楽曲名および演奏時間が同一である楽曲データのアーティスト名を楽曲データ記憶部２８０から検索する例について説明したが、本発明はこれに限定されない。例えば、第１の属性情報記憶部２２０から取得した楽曲データのジャンルが一意に特定できない所定の文字列（例えば、「Ｏｔｈｅｒｓ」）と一致する場合、当該楽曲データと楽曲名および演奏時間が同一である楽曲データのジャンルを楽曲データ記憶部２８０から検索するようにしても良い。記録制御部３６０は、読み出し部２００から出力された楽曲データに加えて、取得部２４０から出力された属性情報を楽曲データ記憶部２８０に記憶する際に、ジャンルに関しては「Ｏｔｈｅｒｓ」を検索部３００から出力された属性情報（ジャンル）に置き換えて楽曲データ記憶部２８０に記憶する。
【００３８】
また、上記実施形態では、第１の属性情報記憶部２２０が楽曲データ記録制御装置１００と同じ場所に備えられる例について説明したが、本発明はこれに限定されない。例えば、第１の属性情報記憶部２２０は、楽曲データ記録制御装置１００と異なる場所に備えられ、インターネットなどの通信ネットワークを通じて楽曲データ記録制御装置１００と適宜接続されるようにしても良い。
【００３９】
また、上記実施形態では、楽曲データ記憶部２８０が楽曲データ記録制御装置１００と同じ場所に備えられる例について説明したが、本発明はこれに限定されない。例えば、楽曲データ記憶部２８０は、楽曲データ記録制御装置１００と異なる場所に備えられ、インターネットなどの通信ネットワークを通じて楽曲データ記録制御装置１００と適宜接続されるようにしても良い。
【００４０】
また、上記実施形態では、楽曲名および演奏時間が同一である楽曲データの属性情報を検索する例について説明したが、本発明はこれに限定されない。例えば、楽曲名が同一である楽曲データの属性情報を検索するようにしても良い。ただし、楽曲名だけで検索すると、同一の楽曲名で違う曲が検索されてしまう場合がある。よって、演奏時間も検索条件に加えて検索する方が、同一曲を正しく検索できる可能性が上がり好ましい。
【００４１】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４２】
１００  楽曲データ記録制御装置
１２０  記録媒体
２００  読み出し部
２２０  第１の属性情報記憶部
２４０  取得部
２６０  判定部
２８０  楽曲データ記憶部（第２の属性情報記憶部、記録装置）
３００  検索部
３４０  操作受付部
３６０  記録制御部
【図１】
2012174326.tif 000003
【図２】
2012174326.tif 000004